(57)【要約】【課題】車両用バッテリの充電率をより正確に補正、管理可能な車両用バッテリの充電制御装置を提供する。【解決手段】充電ＥＣＵ１０は、バッテリ２０の劣化度に応じた目標充電電圧に基づいてオルタネータ３０の発電量を制御しバッテリ２０の充電率を補正する充電率補正処理を実行する。これにより、バッテリ２０の目標充電電圧がバッテリ２０の劣化度に応じて決定されるため、車両用バッテリの充電率がより正確に補正され、車両用バッテリの充電率をより正確に管理可能となり、バッテリ２０がるのを防ぐことができる。【選択図】図１
2007244007.tif 000002
【特許請求の範囲】
【請求項１】
車両用バッテリの劣化度に応じた目標充電電圧に基づいてオルタネータの発電量を制御し前記車両用バッテリの充電率を補正する充電率補正処理を実行する、
ことを特徴とする車両用バッテリの充電制御装置。
【請求項２】
前記充電率補正処理を定期的に実行する、ことを特徴とする請求項１に記載の車両用バッテリの充電制御装置。
【請求項３】
前記車両用バッテリの充電率が所定値より低下した場合に、前記充電率補正処理を実行する、ことを特徴とする請求項１に記載の車両用バッテリの充電制御装置。
【請求項４】
前記目標充電電圧と前記車両用バッテリの実電圧とが略一致したのち、前記オルタネータの発電量を調整して前記車両用バッテリの充放電量を所定値以下にしたところで前記充電率補正処理を終了する、ことを特徴とする請求項１ないし３のいずれかに記載の車両用バッテリの充電制御装置。
【請求項５】
前記車両用バッテリの充放電量が所定値以下となったところで取得した前記車両用バッテリの電圧に基づいて、前記充電率の管理に用いる算出充電率の値を更新する、ことを特徴とする請求項４に記載の車両用バッテリの充電制御装置。
【請求項６】
前記目標充電電圧に基づいて目標充電電気量を算出し、前記オルタネータの発電量が前記目標充電電気量を越えたところで前記充電率補正処理を終了する、ことを特徴とする請求項１ないし３のいずれかに記載の車両用バッテリの充電制御装置。
【請求項７】
前記車両用バッテリの理論内部抵抗値と実内部抵抗値との偏差に基づいて、前記車両用バッテリの劣化度を決定する、ことを特徴とする請求項１ないし６のいずれかに記載の車両用バッテリの充電制御装置。
【請求項８】
前記目標充電電圧と共に、車両の運転状態、前記車両用バッテリの実電圧、電装品の使用率の少なくともいずれかを考慮して前記オルタネータに発電させるべき発電量を決定する、ことを特徴とする請求項１ないし７のいずれかに記載の車両用バッテリの充電制御装置。
【請求項９】
車両用バッテリの劣化度に応じた目標充電電圧に基づいてオルタネータの発電量を制御し前記車両用バッテリの充電率を補正する充電率補正ステップを有する、
ことを特徴とする車両用バッテリの充電制御方法。
【発明の詳細な説明】
【技術分野】
【０００１】
本発明は、車両用バッテリの充電制御装置及びその方法に関する。
【背景技術】
【０００２】
近年、車両の安全性や快適性を向上させる等のために車両の電装品の数が増加していることから、車両に搭載されるバッテリの電気負荷が増大し、バッテリの性能が劣化しやすい状況にある。このため、バッテリの充電技術は極めて重要であり、バッテリの性能低下等を防ぐために様々な充電技術が開示されている（例えば、特許文献１〜５を参照）。
このような充電技術においては、例えば、充電率が所定の値に達するとオルタネータによる発電をカットして無駄な充電を防ぎつつ過充電によるバッテリ性能の劣化を防ぐと共に、所定期間毎に一定電圧によりバッテリを充電して充電率を更新(リセット)することが行われている。
【特許文献１】特開平６−２２４６８号公報
【特許文献２】特開２００１−３１４０４５号公報
【特許文献３】特開平８−３０８１１８号公報
【特許文献４】特開２０００−１１６０１３号公報
【特許文献５】特開２００１−１６７９６号公報
【発明の開示】
【発明が解決しようとする課題】
【０００３】
ところで、上記のような充電技術では、バッテリの充電率（残存容量と満充電容量との比）を正確に計測（算出）する必要がある。バッテリの充電率が正確に計測できないと、バッテリの充電率を精度良くコントロールできないからである。
従来においては、例えば、エンジン始動時にバッテリの開放電圧（充放電がされていない状態のバッテリの電圧）に基づいて残存容量を算出し、その後はバッテリから充放電される電流の値を電流センサで検出してその積算値から残存容量を算出し、これらの残存容量と既知のバッテリの満充電容量とに基づいてバッテリの充電率を算出していた。
しかしながら、このような方法によって算出した充電率は、電流センサに対する外乱やバッテリの状態変化等の影響で実際の充電率と乖離する可能性がある。このため、実際の充電率と乖離した充電率を用いたのでは、バッテリの充電率を正確にコントロールすることが困難である。
また、上記したような充電技術では、実際の充電率と算出した充電率との乖離を防ぐために、所定期間毎に一定電圧によりバッテリを充電して充電率を更新(リセット)するが、バッテリを充電してから次の充電までの間に充電率が大幅に低下したような場合には、バッテリが上がる可能性がある。
【０００４】
本発明は、上記の事情に鑑みて成されたものであり、その目的とするところは、車両用バッテリの充電率をより正確に補正、管理可能な車両用バッテリの充電制御装置及びその方法を提供することにある。
【課題を解決するための手段】
【０００５】
本発明の車両用バッテリの充電制御装置は、車両用バッテリの劣化度に応じた目標充電電圧に基づいてオルタネータの発電量を制御し車両用バッテリの充電率を補正する充電率補正処理を実行する、ことを特徴としている。
この構成によれば、車両用バッテリの劣化度に応じて決定された目標充電電圧で充電されるため、車両用バッテリの充電率がより正確に補正される。
【０００６】
上記構成において、充電率補正処理を定期的に実行する構成を採用できる。
この構成によれば、定期的に充電率補正処理が実行されることにより、バッテリが上がる可能性を大幅に低下させることができる。
【０００７】
上記構成において、車両用バッテリの充電率が所定値より低下した場合に、充電率補正処理を実行する、構成を採用できる。
この構成によれば、充電率の低下が検出されると速やかに充電率を回復させる処理が実行されるので、バッテリが上がるのをより確実に防ぐことができる。
【０００８】
上記構成において、目標充電電圧と前記車両用バッテリの実電圧とが略一致したのち、オルタネータの発電量を調整して車両用バッテリの充放電量を所定値以下にしたところで充電率補正処理を終了する、構成を採用できる。
この構成によれば、車両用バッテリの充放電量が実際に所定値以下になるまで制御するので、充電率が精度良く補正される。
【０００９】
上記構成において、車両用バッテリの充放電量が所定値以下となったところで取得した車両用バッテリの電圧に基づいて、充電率の管理に用いる算出充電率の値を更新する、構成を採用できる。
この構成によれば、バッテリの実際の開放電圧又はそれに近い電圧に基づいて充電率を算出できるので、実際の充電率と算出充電率との差異を非常に小さくすることができる。
【００１０】
上記構成において、目標充電電圧に基づいて目標充電電気量を算出し、オルタネータの発電量が目標充電電気量を越えたところで充電率補正処理を終了する、構成を採用できる。
この構成によれば、オルタネータの発電量を検出するだけで充電率補正処理を終了するタイミングを判断でき、処理が容易となる。
【００１１】
上記構成において、車両用バッテリの理論内部抵抗値と実内部抵抗値との偏差に基づいて、車両用バッテリの劣化度を検出する、構成を採用できる。
この構成によれば、実測内部抵抗値を用いるのでバッテリの劣化度をより精度良く特定できる。
【００１２】
上記構成において、目標充電電圧と共に、車両の運転状態、車両用バッテリの実電圧、電装品の使用率の少なくともいずれかを考慮してオルタネータに発電させるべき発電量を決定する、構成を採用できる。
この構成によれば、車両の運転状態、車両用バッテリの実電圧、電装品使用率等のオルタネータの発電量に影響を及ぼす要因を考慮してオルタネータに発電させるべき発電量を決定する、所望の充電率を達成するのに必要なオルタネータの発電量をより精度良く算出できる。
【００１３】
本発明の車両用バッテリの充電制御方法は、車両用バッテリの劣化度に応じた目標充電電圧に基づいてオルタネータの発電量を制御し車両用バッテリの充電率を補正する充電率補正ステップを有する、ことを特徴としている。
【発明の効果】
【００１４】
本発明によれば、車両用バッテリの充電率をより正確に補正、管理することが可能となる。
【発明を実施するための最良の形態】
【００１５】
以下、本発明の最良の実施形態について、添付図面を参照しつつ説明する。
図１は、本発明の一実施例に係る車両用バッテリの充電制御システムの構成を示す機能ブロック図である。
この車両用バッテリの充電システム、図１に示すように、充電制御装置としての充電ＥＣＵ（Ｅｌｅｃｔｒｉｃ  Ｃｏｎｔｒｏｌ  Ｕｎｉｔ）１０、車両用バッテリ２０（以下、バッテリ２０という）、オルタネータ３０、電機負荷４０、各種センサ・スイッチ群５０、電流センサ６０、液温センサ７０等から構成されている。
【００１６】
バッテリ２０は、例えば、鉛蓄電池等からなり、蓄積した電力を車両の各種電装品へ供給する。
オルタネータ３０は、例えば、図示しないベルトを介して車両のエンジンにより駆動され、発電した交流出力をダイオードで整流し、直流に変換して各種電装品等へ必要な電力を供給すると共に、バッテリ１００を充電するための電力を供給する。また、オルタネータ３０は、後述するように、充電ＥＣＵ１０からの制御指令１０ｓに応じて、発電量や発電電圧が制御される。
【００１７】
電気負荷４０は、ランプ、ブロア、アクチュエータ、エアコン、オーディオ装置、スタータ、ウィンカー、ヘッドライト、燃料噴射やアンチロックブレーキシステムのような制御システム等の各種電装品からなる。電気負荷４０を構成する各種電装品は、充電ＥＣＵ１０に対して使用状況の情報(使用率)を出力する。
【００１８】
電流センサ６０は、バッテリ２０から充放電される電流を検出し、その電流検出値を充電ＥＣＵ１０へ出力する。
液温センサ７０は、バッテリ２０のバッテリ液の温度を検出してその液温を充電ＥＣＵ１０へ出力する。
【００１９】
各種センサ・スイッチ群５０は、車速、スロットル開度、アイドル状態、エンジン回転数など車両の運転状態を検出する各種センサや各種スイッチからなり、車両の運転状態等の情報を充電ＥＣＵ１０へ出力する。
【００２０】
充電ＥＣＵ１０は、図示しないプロセッサ、メモリ等のハードウエアと所要のソフトウエア等から構成され、バッテリ２０の総合的な管理を行う。尚、充電ＥＣＵ１０には、図１に示すように、バッテリ２０の電圧が常時入力されている。
充電ＥＣＵ１０は、基本的には、バッテリ２０の充電率が所定値を越えるとオルタネータ３０による発電をカットして無駄な充電を防ぎつつ過充電によるバッテリ性能の劣化を防ぐと共に、後述するように、定期的に充電率を補正する処理を実行する。尚、バッテリ２０の充電率とは、バッテリ２０の満充電容量に対する残存容量の比である。この充電率は、例えば、エンジン始動時には、バッテリ２０の電圧（開放電圧）から算出され、その後は、電流センサ６０の検出する電流値の積算地に基づいて算出される。また、算出された充電率は、後述する充電率を補正する処理が実行される毎に更新（補正）される。
【００２１】
次に、充電ＥＣＵ１０の充電率補正処理について図２ないし図１１を参照して説明する。
ここで、図２は充電率補正処理の一例を示すフローチャート、図３は目標充電電圧算出処理の一例を示すフローチャート、図４はバッテリ液温度とバッテリ内部抵抗値との関係の一例を示すグラフ、図５は理論内部抵抗値と実内部抵抗値との偏差に対応するバッテリ劣化度を示す図、図６はバッテリ劣化度と目標充電電圧との関係の一例を示すグラフ、図７はバッテリ液温度と目標充電電圧補正値との関係の一例を示すグラフ、図８は車両の走行状況に応じた発電量と発電指令電流値との関係の一例を示すグラフ、図９は車両の走行状況に応じた発電量と発電指令電流値との関係の他の例を示すグラフ、図１０はバッテリ電圧とバッテリ充電率との関係の一例を示すグラフ、及び、図１１は液温度とバッテリ充電率補正値との関係の一例を示すグラフである。
【００２２】
充電ＥＣＵ１０は、図２に示す充電率補正処理１を、車両のエンジンが始動されてバッテリ２０の充放電が開始された後、定期的に実行する。
先ず、充電ＥＣＵ１０は、所定時間を経過したかを判断し（ステップＳＴ１）、経過していない場合には処理を終了し、経過した場合には、バッテリ２０を充電する際の目標充電電圧を決定する（ステップＳＴ２）。
【００２３】
ここで、目標充電電圧の決定処理について図３のフローチャートを参照して説明する。
充電ＥＣＵ１０は、先ず、バッテリ容量を読み出す（ステップＳＴ２１）。バッテリ容量は、例えば、不揮発性メモリ等に予め記憶されている。
【００２４】
次いで、充電ＥＣＵ１０は、バッテリ２０の理論内部抵抗値を算出する（ステップＳＴ２３）。ここで、理論内部抵抗値は、バッテリ容量毎にバッテリ液温度に応じて、例えば、図４に示すような値をとる。図４において、バッテリ液温度（以下、液温度）が高くなるほど、理論内部抵抗値は低下することがわかる。充電ＥＣＵ１０は、図４に示すようなデータをバッテリ容量毎に保持しており、バッテリ容量と液温度からバッテリ２０の理論内部抵抗値を特定する。
【００２５】
次いで、充電ＥＣＵ１０は、バッテリ２０の実内部抵抗値を取得する。実内部抵抗値は、例えば図４に点線で示すように、理論内部抵抗値とは乖離しており、この乖離の大きさとバッテリ２０の劣化との間に相関があり、これにより、バッテリ２０の劣化度を判定することができる。バッテリ２０の実内部抵抗値は、例えば、エンジン始動時にバッテリ２０の電圧等を測定することにより、測定できる。尚、バッテリ２０の実内部抵抗値の測定方法については周知であるので、説明を省略する。
【００２６】
次いで、充電ＥＣＵ１０は、バッテリ２０の理論内部抵抗値と実内部抵抗値との偏差を算出する（ステップＳＴ２５）。そして、この偏差に基づいて、バッテリ２０の劣化度を判定する（ステップＳＴ２６）。充電ＥＣＵ１０は、例えば、図５に示すように、理論内部抵抗値と実内部抵抗値との偏差と劣化度のテーブルを予め保持しており、このテーブルに従ってバッテリ２０の劣化度を判定する。
【００２７】
次いで、充電ＥＣＵ１０は、判定した劣化度に応じてバッテリ２０の目標充電電圧を決定する（ステップＳＴ２７）。充電ＥＣＵ１０は、例えば、図６に示すように、各劣化度に対して設定すべき目標充電電圧のデータを保持しており、このデータに基づいて目標充電電圧を決定する。
尚、充電ＥＣＵ１０は、例えば、図７に示すように、液温度に対応した目標充電電圧補正値のデータを保持しており、現在の液温度に応じて図６のデータを用いて決定された目標充電電圧をさらに補正（補正値を掛ける）してもよい。
【００２８】
図２に戻って、充電ＥＣＵ１０は、液温度を取得し（ステップＳＴ３）、車両の走行状況（運転状況）を取得し（ステップＳＴ４）、電装品使用率を取得し（ステップＳＴ５）、その後に、決定された目標充電電圧と液温度、車両の走行状況及び電装品使用率の少なくともいずれかを考慮してバッテリ２０へ充電するためのオルタネータ２０の発電量を算出する。
具体的には、決定された目標充電電圧をＶｔ、バッテリ２０の実電圧をＶｒ、バッテリ２０の実内部抵抗値をＲとすると、基本的に必要なオルタネータ２０の発電量ＢＧＡは、次式（１）により算出される。
【００２９】
ＢＧＡ＝｛（Ｖｔ−Ｖｒ）／Ｒ｝×Ｒ×Ｒ          （１）
【００３０】
次いで、充電ＥＣＵ１０は、この発電量ＢＧＡを基に、車両の走行状態を考慮してオルタネータ２０の発生すべき電流値（発電指令電流値）を算出する。
充電ＥＣＵ１０は、例えば、図８及び図９に示すような発電量ＢＧＡと発電指令電流値とを関係付けるマップを保持しており、このマップから車両の走行状態を考慮した発電指令電流値を決定する。
具体的には、図８はバッテリ２０Ｇは高充電率状態にあるときのマップであり、図９は低い充電率状態にあるときのバッテリである。図８に示すマップは、高充電率状態にあるときは、車両が減速走行、定速走行あるいはアイドリング状態に応じてそれぞれ異なっており、加速時には発電をカットするように設定されている。
一方、低い充電率状態にあるときは、減速走行、定速走行、アイドリング及び加速走行のいずれの走行状態であっても充電が必要であるので、図９に示すようなマップになっている。
【００３１】
充電ＥＣＵ１０は、車両の走行状態を考慮して発電指令電流値を決定したのち、この発電指令電流値に現在使用されている電装品の使用電流値を加算して最終的な発電指令電流値を求める。これにより、オルタネータ２０に指令する発電量（発電指令電流値）の決定処理が完了する。
【００３２】
次いで、充電ＥＣＵ１０は、オルタネータ２０に発電指令電流値に応じた制御指令１０ｓを出力する（ステップＳＴ７）。これにより、オルタネータ２０が発電を開始する。
充電ＥＣＵ１０は、バッテリ２０の実電圧Ｖｒが目標充電電圧Ｖｔに略等しくなったかを判断し(ステップＳＴ８)、略等しくない場合には、上記のステップＳＴ３〜ＳＴ７の処理を繰り返す。
バッテリ２０の実電圧Ｖｒが目標充電電圧Ｖｔと略等しくなった場合には、オルタネータ２０の発電量を調整し（ステップＳＴ９）、バッテリ２０の充放電量（電流値）を所定値（零に近い値）以下になったかを判断する。すなわち、この所定値はバッテリ２０が充放電しなくなり、端子が開放された状態と同等の状態とみなせる状態である。
充電ＥＣＵ１０は、所定値以下になったところで、バッテリ２０の電圧（開放電圧）を取得する（ステップＳＴ１１）。
【００３３】
次いで、充電ＥＣＵ１０は、例えば、図１０に示すように、バッテリ２０の電圧と充電率との関係のデータを保持しており、このデータを用いてバッテリ２０の算出充電率を補正（更新）する（ステップＳＴ１２）。また、充電ＥＣＵ１０は、例えば、図１１に示すように、バッテリ２０の実内部抵抗値に応じた充電率補正値のデータを保持しており、この充電率補正値を算出した算出充電率に掛け合わせることにより、充電ＥＣＵ１０が認識している算出充電率と実際の充電率とがさらに精度良く合致する。
充電ＥＣＵ１０は、ステップＳＴ１２の処理ののち、充電処理を終了する。
【００３４】
尚、上記実施例では、オルタネータ２０の発電量の算出や算出充電率の補正に実内部抵抗値Ｒを使用するが、実内部抵抗値Ｒも変化する可能性がある。
このため、充電ＥＣＵ１０は、上記の充電率補正処理の途中で、例えば、図１２に示すような内部抵抗値更新処理を実行することができる。
図１２において、充電ＥＣＵ１０は、所定放電があったかを判断し（ステップＳＴ３１）、所定放電があった場合には、放電特性を検出する（ステップＳＴ３２）。放電特性を検出するには、例えば、前回値と今回値との電流差が５０アンペア程度のような大きな放電があった場合に、そのときのバッテリ２０の電流値及び電圧値を所定時間サンプリングする。そして、このサンプリングした電流値及び電圧値のデータから実内部抵抗値を算出する（ステップＳＴ３３）。
【００３５】
一方、ステップＳＴ３１において、所定放電がない場合には、実内部抵抗値Ｒを前回更新してから所定時間が経過したかを判断し(ステップＳＴ３４)、所定時間経過している場合には、例えば、図１３に示すように、液温度と実内部抵抗補正値とを関係付けるデータを用いて、実内部抵抗値Ｒを補正して更新する（ステップＳＴ３５）。所定時間経過していない場合には、実内部抵抗値Ｒを更新しない。
【００３６】
このように、実内部抵抗値Ｒを定期的あるいは大電流が流れた際に補正することにより、一層精度良く充電率補正が可能となる。
【００３７】
次に、充電ＥＣＵ１０による他の実施例に係る充電率補正処理２について図１４に示すフローチャートを参照して説明する。尚、図１４に示す充電率補正処理２は、上記と同様に定期的に実行される。
充電ＥＣＵ１０は、先ず、上記のステップＳＴ１、ＳＴ２と同様の処理を実行し（ステップＳＴ４１、ＳＴ４２）、決定した目標充電電圧Ｖｔからバッテリ２０の充電に必要な目標充電電気量ＢＧＡ２を算出する（ステップＳＴ４３）。
目標充電電気量ＢＧＡ２の算出は、バッテリ２０の満充電電圧（ＳＯＣ：充電状態が１００％のときの電圧）をＶｆ、放電終期電圧（ＳＯＣ：充電状態が０％のときの電圧）をＶｅ、バッテリ２０の容量をＣ[Ａｈ]とすると、次式（２）で算出される。
【００３８】
ＢＧＡ２＝（Ｖｔ−Ｖｒ）／（Ｖｆ−Ｖｅ）×Ｃ      （２）
【００３９】
次いで、充電ＥＣＵ１０は、液温度を取得し、この液温度に基づいて目標充電電気量ＢＧＡ２を補正する。充電ＥＣＵ１０は、例えば、図１５に示すような液温度と充電電気量補正値とを関係付けるデータを保持しており、これを用いて目標充電電気量ＢＧＡ２を補正する。
【００４０】
次いで、上記実施例と同様に、車両の走行状況（運転状況）を取得し（ステップＳＴ４６）、電装品使用率を取得し（ステップＳＴ４７）、その後に、補正後の目標充電電気量ＢＧＡ２と、液温度、車両の走行状況及び電装品使用率の少なくともいずれかを考慮してオルタネータ２０の発電すべき発電量を算出する(ステップＳＴ４８)。
【００４１】
その後、充電ＥＣＵ１０は、電流センサ６０の検出した電流値の積算に基づいてバッテリ２０への充電電気量を算出しつつ、この充電電気量が補正後の目標充電電気量ＢＧＡ２を越えたかを判断する（ステップＳＴ４９）。
充電ＥＣＵ１０は、充電電気量が補正後の目標充電電気量ＢＧＡ２を越えたところで、上記と同様に算出充電率を補正し（ステップＳＴ５０）、処理を終了する。
【００４２】
本実施例では、予め目標充電電気量ＢＧＡ２を算出して充電電気量がこれに達したかを判断することで、充電を終了させるので、上記実施例のようにオルタネータ２０による微調整が不要となり、処理が簡素化される。
【００４３】
次に、充電ＥＣＵ１０によるさらに他の実施例に係る充電率補正処理３について図１６に示すフローチャートを参照して説明する。
上述した各実施例では、充電率補正処理を定期的に実行する場合について説明したが、本実施例では、エンジン駆動中にバッテリ２０の充電率が低下した場合に速やかに充電率を補正することができる処理について説明する。
充電ＥＣＵ１０は、先ず、図１６に示すように、充電率が所定値未満かを判断する(ステップＳＴ６１)。尚、この判断に用いる充電率は、上記した算出充電率である。
充電率が所定値未満、すなわち、充電率が低下している場合には、上記実施例と同様に、目標充電電圧Ｖｔの決定(ステップＳＴ６２)、液温度の取得(ステップＳＴ６３)、電装品使用率の取得（ステップＳＴ６４）、オルタネータ２０の発電量の決定(ステップＳＴ６５)、オルタネータ２０への制御指令１０ｓの出力（ステップＳＴ６６）の各処理を実行し、バッテリ２０の実電圧Ｖｒが目標充電電圧Ｖｔと略等しくなったかを判断する（ステップＳＴ６７）。
そして、バッテリ２０の実電圧Ｖｒが目標充電電圧Ｖｔと略等しくなった場合には、充電処理を終了する。
【００４４】
このように、充電ＥＣＵ１０が充電率を常時監視しておき、充電率が低下した場合には、バッテリ３０の劣化度を考慮して目標充電電圧Ｖｔを決定してこれに基づいて充電処理を実行することにより、低下した充電率を速やかに復元できると共に、適正な充電率にコントロールすることができる。
尚、本実施例では、充電率の低下を検出した後、バッテリ２０を速やかに充電する観点から、車両の走行状況を考慮していないが、車両の走行状況を考慮することも可能である。
【００４５】
次に、充電ＥＣＵ１０によるさらに他の実施例に係る充電率補正処理３について図１７に示すフローチャートを参照して説明する。
本実施例と図１６で説明した実施例とで異なる点は、目標充電電圧Ｖｔを決定したのち(ステップＳＴ７２)、この目標充電電圧Ｖｔから図１４で説明した実施例と同様に目標充電電気量を算出し(ステップＳＴ７３)、最終的にバッテリ２０の充電電気量が目標充電電気量を越えたかを判断し(ステップＳＴ７９)、越えたところで処理を終了する点である。他のステップＳＴ７１、ＳＴ７４〜ＳＴ７８は図１６で説明した実施例と同様である。
【００４６】
上記実施例では、内燃機関で駆動される車両に本発明を適用した場合について説明したが、これに限定されるわけではなく、内燃機関と電動モータの双方を備えるハイブリッド自動車におけるバッテリにも適用可能である。
【図面の簡単な説明】
【００４７】
【図１】本発明の一実施形態に係る車両用バッテリの充電制御装置の構成を示す機能ブロック図である。
【図２】充電率補正処理の一例を示すフローチャートである。
【図３】目標充電電圧算出処理の一例を示すフローチャートである。
【図４】バッテリ液温度とバッテリ内部抵抗値との関係の一例を示すグラフである。
【図５】理論内部抵抗値と実内部抵抗値との偏差に対応するバッテリ劣化度を示す図である。
【図６】バッテリ劣化度と目標充電電圧との関係の一例を示すグラフである。
【図７】バッテリ液温度と目標充電電圧補正値との関係の一例を示すグラフである。
【図８】車両の走行状況に応じた発電量と発電指令電流値との関係の一例を示すグラフである。
【図９】車両の走行状況に応じた発電量と発電指令電流値との関係の他の例を示すグラフである。
【図１０】バッテリ電圧とバッテリ充電率との関係の一例を示すグラフである。
【図１１】液温度とバッテリ充電率補正値との関係の一例を示すグラフである。
【図１２】内部抵抗値更新処理の一例を示すフローチャートである。
【図１３】液温度に応じて内部抵抗補正値との関係の一例を示すグラフである。
【図１４】充電率補正処理の他の例を示すフローチャートである。
【図１５】バッテリ液温度と充電電気量補正値との関係の一例を示すグラフである。
【図１６】充電率補正処理のさらに他の例を示すフローチャートである。
【図１７】充電率補正処理のさらに他の例を示すフローチャートである。
【符号の説明】
【００４８】
１０…充電ＥＣＵ（充電制御装置）
２０…バッテリ（車両用バッテリ）
３０…オルタネータ
４０…電気負荷
５０…各種センサ・スイッチ群
６０…電流センサ
７０…液温センサ
【図１】
2007244007.tif 000003
【図２】
2007244007.tif 000004
【図３】
2007244007.tif 000005
【図４】
2007244007.tif 000006
【図５】
2007244007.tif 000007
【図６】
2007244007.tif 000008
【図７】
2007244007.tif 000009
【図８】
2007244007.tif 000010
【図９】
2007244007.tif 000011
【図１０】
2007244007.tif 000012
【図１１】
2007244007.tif 000013
【図１２】
2007244007.tif 000014
【図１３】
2007244007.tif 000015
【図１４】
2007244007.tif 000016
【図１５】
2007244007.tif 000017
【図１６】
2007244007.tif 000018
【図１７】
2007244007.tif 000019